(57)【要約】【課題】発光装置の寿命を延ばすために輝度を変化させても、ユーザが輝度の変化を感じないようにする。【解決手段】制御部１２０は、発光部１００を制御する。詳細には、制御部１２０は、発光部１００の動作環境を示す動作環境情報、及び発光部１００が発光すべき輝度を示す輝度情報を取得する。動作環境情報は、例えば発光部１００の温度又は発光部１００の周囲の温度、すなわち発光部１００の動作環境温度である。そして発光部１００は、動作環境及び輝度情報に基づいて、輝度情報が示す輝度に乗ずるべき係数を算出し、算出した係数を乗じた後の輝度に基づいて、発光部１００を制御する。【選択図】図１
2014143100.tif 000002
【特許請求の範囲】
【請求項１】
発光部と、
前記発光部を制御する制御部と、
を備え、
前記制御部は、
前記発光部の動作環境を示す動作環境情報、及び前記発光部が発光すべき輝度を示す輝度情報を取得し、前記動作環境及び前記輝度情報に基づいて、前記輝度情報が示す輝度に乗ずるべき係数を算出し、
前記輝度情報が示す輝度に前記係数を乗じた値に基づいて、前記発光部の輝度を制御する発光装置。
【請求項２】
請求項１に記載の発光装置において、
前記動作環境情報は、前記発光部の温度又は前記発光部の周囲の温度である発光装置。
【請求項３】
請求項２に記載の発光装置において、
前記制御部は、
前記温度が閾値以下の場合に、前記係数を１に設定し、
前記温度が閾値超の場合に、前記係数を１未満の値に設定する発光装置。
【請求項４】
請求項３に記載の発光装置において、
前記制御部は、前記輝度情報が示す輝度に基づいて前記閾値を設定する発光装置。
【請求項５】
請求項３又は４に記載の発光装置において、
前記制御部は、前記温度が閾値超の場合に、前記温度が上がるにつれて前記係数を小さくする発光装置。
【請求項６】
発光部の動作環境を示す動作環境情報、及び前記発光部が発光すべき輝度を示す輝度情報を取得し、前記動作環境及び前記輝度情報に基づいて、前記輝度情報が示す輝度に乗ずるべき係数を算出し、
前記輝度情報が示す輝度に前記係数を乗じた値に基づいて、前記発光部の輝度を制御する制御装置。
【発明の詳細な説明】
【技術分野】
【０００１】
本発明は、発光装置及び制御装置に関する。
【背景技術】
【０００２】
発光装置の一つに、有機ＥＬ（Organic Electroluminescence）やＬＥＤ（Light Emitting Diode）を光源として用いるものがある。このような発光装置は、動作時の温度が上昇すると寿命が短くなる。
【０００３】
このような問題に対して、例えば特許文献１及び２には、発光装置の動作環境温度が所定値を超えた場合に、発光輝度を下げることが記載されている。
【０００４】
また特許文献３には、照明装置の外部温度が高くなると、照明装置に供給する電流値又は電圧値を下げることにより、照明装置の寿命を延ばすことが記載されている。
【先行技術文献】
【特許文献】
【０００５】
【特許文献１】特開２００５−３１４３０号公報
【特許文献２】特開平１１−２９８０４４号公報
【特許文献３】特開２００２−１１７９８６号公報
【発明の概要】
【発明が解決しようとする課題】
【０００６】
ユーザが望む輝度が大きい場合、輝度を小さくしてもユーザは輝度の変化をあまり感じない。しかし、ユーザが望む輝度が小さい場合、輝度をさらに小さくするとユーザは輝度の変化を感じてしまう恐れがある。
【０００７】
本発明が解決しようとする課題としては、発光装置の寿命を延ばすために輝度を変化させても、ユーザが輝度の変化を感じないようにすることが一例として挙げられる。
【課題を解決するための手段】
【０００８】
請求項１に記載の発明は、発光部と、
前記発光部を制御する制御部と、
を備え、
前記制御部は、
前記発光部の動作環境を示す動作環境情報、及び前記発光部が発光すべき輝度を示す輝度情報を取得し、前記動作環境及び前記輝度情報に基づいて、前記輝度情報が示す輝度に乗ずるべき係数を算出し、
前記輝度情報が示す輝度に前記係数を乗じた値に基づいて、前記発光部の輝度を制御する発光装置である。
【０００９】
請求項６に記載の発明は、発光部の動作環境を示す動作環境情報、及び前記発光部が発光すべき輝度を示す輝度情報を取得し、前記動作環境及び前記輝度情報に基づいて、前記輝度情報が示す輝度に乗ずるべき係数を算出し、
前記輝度情報が示す輝度に前記係数を乗じた値に基づいて、前記発光部の輝度を制御する制御装置である。
【図面の簡単な説明】
【００１０】
【図１】実施形態に係る発光装置の機能構成を示す図である。
【図２】実施例１に係る発光装置の機能構成を示す図である。
【図３】制御部の機能構成を示す図である。
【図４】実施例１における係数（減衰率）と発光部の動作環境温度の関係を示す図である。
【図５】実施例１において発光部の最大輝度を１００％とした場合において、輝度が温度によってどのように変化するかを、ユーザが所望した輝度別に示す図である。
【図６】実施例２における係数と発光部の動作環境温度の関係を示す図である。
【図７】実施例２において発光部の最大輝度を１００％とした場合において、輝度が温度によってどのように変化するかを、ユーザが所望した輝度別に示す図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
なお、以下に示す説明において、各装置の各構成要素は、ハードウエア単位の構成ではなく、機能単位のブロックを示している。各装置の各構成要素は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１３】
図１は、実施形態に係る発光装置１０の機能構成を示す図である。発光装置１０は、発光部１００及び制御部１２０を有している。制御部１２０は、発光部１００を制御する。詳細には、制御部１２０は、発光部１００の動作環境を示す動作環境情報、及び発光部１００が発光すべき輝度を示す輝度情報を取得する。そして制御部１２０は、動作環境及び輝度情報に基づいて、輝度情報が示す輝度に乗ずるべき係数を算出し、算出した係数を乗じた後の輝度に基づいて、発光部１００を制御する。以下、詳細に説明する。
【００１４】
発光部１００は、発光素子を有している。この発光素子は、例えば有機ＥＬやＬＥＤである。
【００１５】
動作環境情報は、例えば発光部１００の温度又は発光部１００の周囲の温度、すなわち発光部１００の動作環境温度である。これらは、センサによって検出され、制御部１２０に出力される。このセンサは、発光装置１０に内蔵されていても良いし、発光装置１０の外部に設けられていても良い。
【００１６】
輝度情報は、上記したように、発光部１００が発光すべき輝度を示している。輝度情報は、例えば発光装置１０に設けられた入力部（例えばスイッチ）を介して制御部１２０に入力されても良いし、発光装置１０の外部に設けられたコントローラを介して制御部１２０に入力されても良い。
【００１７】
制御部１２０は、上記したように、輝度情報が示す輝度、及び動作環境情報に基づいて、輝度情報が示す輝度に乗ずるべき係数を算出する。この係数は、例えば１以下の値であるが、１より大きい値が乗じられる場合があってもよい。そして制御部１２０は、算出した係数を乗じた後の輝度に基づいて、発光部１００を制御する。
【００１８】
以上、実施形態によれば、制御部１２０は、動作環境及び輝度情報に基づいて、輝度情報が示す輝度に乗ずるべき係数を算出し、算出した係数を乗じた後の輝度に基づいて、発光部１００を制御する。このため、輝度情報が示す輝度に対して１未満の係数を乗ずることにより、発光部１００の寿命を延ばすことができる。
【００１９】
また、人は輝度が高い状態から少し低い状態に変化しても、その変化を感じにくいが、輝度が低い状態からさらに少し低くなる場合は、その変化を感じやすい。これを踏まえ、制御部１２０は温度が上がるにつれて係数を下げていくが、この係数を設定する際に輝度情報を参照し、輝度情報が示す輝度が小さい場合（すなわちユーザが望む輝度が小さい場合）は、輝度情報が示す輝度が大きい場合（すなわちユーザが望む輝度が大きい場合）に比べ、係数が大きくなるように設定し、輝度の低下量を小さくする。このようにすると、ユーザが輝度の変化を感じないようにすることができる。
【００２０】
特に発光部１００が有する発光素子が有機ＥＬやＬＥＤなど、温度によって劣化速度が大きく変化する素子である場合、発光素子の劣化速度は、温度が高くなるにつれて速くなる。従って、動作環境情報が発光部１００の動作環境温度である場合、発光部１００の寿命を十分に伸ばすことができる。
【実施例】
【００２１】
（実施例１）
図２は、実施例１に係る発光装置１０の機能構成を示す図である。実施例１に係る発光装置１０は、発光部１００、制御部１２０、温度検出部１４０、及び輝度情報取得部１６０を備えている。発光部１００及び制御部１２０の概略は、実施形態と同様である。
【００２２】
温度検出部１４０は、発光部１００の近傍、又は発光部１００の一部として設置されており、発光部１００の温度又は発光部１００の周囲の温度を検出する。温度検出部１４０の検出値は、制御部１２０に出力される。
【００２３】
輝度情報取得部１６０は、輝度情報を取得する。輝度情報取得部１６０は、例えばユーザが操作するスイッチであっても良いし、リモートコントローラから無線で送信される情報を受信する受信部であっても良い。
【００２４】
図３は、本実施例における制御部１２０の機能構成を示す図である。本実施例において制御部１２０は、輝度設定部１２１、係数設定部１２２、輝度補正部１２３、ドライバ制御部１２４、ドライバ１２５、及び係数情報記憶部１２６を備えている。
【００２５】
ドライバ１２５は発光部１００のドライバであり、発光部１００に電流を供給する。ドライバ制御部１２４は、ドライバ１２５を制御することにより、発光部１００に供給する電流量を制御する。
【００２６】
輝度設定部１２１は、輝度情報取得部１６０が受信した輝度情報を処理して、ユーザが所望する輝度を認識する。輝度設定部１２１は、認識した輝度を、係数設定部１２２及び輝度補正部１２３に送信する。
【００２７】
係数設定部１２２は、温度検出部１４０から送信されてきた信号に基づいて、発光部１００の動作環境温度を認識する。そして係数設定部１２２は、認識した動作環境温度、及び輝度設定部１２１から送信されてきた輝度に基づいて、輝度設定部１２１が認識した輝度に乗ずるべき係数を設定する。係数情報記憶部１２６は、この係数の設定の際に用いられる情報を記憶している。この情報の詳細については、後述する。
【００２８】
輝度補正部１２３は、輝度設定部１２１が認識した輝度に、係数設定部１２２が設定した係数を乗ずることにより、輝度を補正する。そして輝度補正部１２３は、補正後の輝度をドライバ制御部１２４に出力する。ドライバ制御部１２４は、輝度補正部１２３から受信した輝度に基づいて、ドライバ１２５を制御する。
【００２９】
図４及び図５は、係数情報記憶部１２６が記憶しているデータの一例を説明するための図である。図４は、係数（減衰率）と発光部１００の動作環境温度の関係を示す図である。図５は、発光部１００の最大輝度を１００％とした場合において、輝度が温度によってどのように変化するかを、ユーザが所望した輝度（調光率）別に示す図である。
【００３０】
図４に示すデータに従う場合、係数設定部１２２は、温度が閾値以下の場合に、係数を１に設定し、温度が閾値を超えた場合に、係数を１未満の値に設定する。この場合、温度が閾値未満の場合、すなわち発光部１００の劣化速度が遅い場合は、発光装置１０は、ユーザが所望した明るさで発光する。
【００３１】
また係数設定部１２２は、温度が閾値超の場合に、温度が上がるにつれて係数を小さくする。このようにすると、発光部１００の連続発光時間が長くなって発光部１００の温度が徐々に上昇していった場合に、制御部１２０は、発光部１００の輝度を徐々に低下させることができる。この場合、ユーザは、輝度が変化したことを認識しにくくなる。なお、本図に示す例では、発光装置１０の動作環境温度が閾値を超えた場合における係数と温度の関係は、一次関数、すなわち直線状になっている。
【００３２】
また、発光部１００は、輝度が高くなるにつれて劣化速度が速くなる。これに対して図４に示す例では、係数設定部１２２は、輝度設定部１２１が認識した輝度（図では調光率と記載）に基づいて閾値を設定する。具体的には、係数設定部１２２は、輝度設定部１２１が認識した輝度が高くなるにつれて、閾値を小さくしている。すなわち発光部１００の輝度が高くなるほど、輝度が小さくなり始める温度は低くなる。このため、発光部１００の輝度が高い場合における発光部１００の劣化速度を遅くすることができる。
【００３３】
なお、上記した制御を式で説明すると、例えば以下のようになる。発光部１００の最大輝度に対する輝度設定部１２１が認識した輝度の割合をＤ（％）として、発光部１００の動作環境温度をＴとして、係数をＡｔｔ（％）とする。また、Ｄ＝１００％における閾値をＴａとして、Ｄ＝最低値における閾値をＴｂとする。また、Ｔｃは係数が０となる温度である。
【００３４】
Ｔ≦（Ｔｂ−（Ｄ／１００）×（Ｔｂ−Ｔａ）の場合、Ａｔｔ＝１００％である。また、Ｔｃ≧Ｔ＞（Ｔｂ−（Ｄ／１００）×（Ｔｂ−Ｔａ）の場合、Ａｔｔは以下の式（１）を満たす。また、Ｔ＞Ｔｃの場合、Ａｔｔ＝０％である。
Ａｔｔ＝１００×（Ｔｃ−Ｔ）／（Ｔｃ−（Ｔｂ−（Ｄ／１００）×（Ｔｂ−Ｔａ）））
・・・（１）
【００３５】
以上、本実施例によれば、さらに発光部１００の寿命を延ばすことができ、かつ、ユーザが輝度の変化を感じないようにすることができる。
【００３６】
（実施例２）
実施例２に係る発光装置１０は、係数情報記憶部１２６が記憶しているデータを除いて、実施例１に係る発光装置１０と同様の構成である。
【００３７】
図６は、本実施例において、係数（減衰率）と発光部１００の動作環境温度の関係を示す図である。図７は、発光部１００の最大輝度を１００％とした場合において、輝度が温度によってどのように変化するかを、ユーザが所望した輝度（調光率）別に示す図である。
【００３８】
本図に示す例において、発光部１００の動作環境温度に設定された閾値は、輝度設定部１２１が認識した輝度によらず、一定となっている。また、係数設定部１２２は、係数を曲線的、例えば指数関数的に変化させる。
【００３９】
例えば係数設定部１２２は、以下を満たすように係数Ａｔｔを変化させる。ここで、閾値をＴｄとしている。また、Ｔｃは係数が０となる温度である。
【００４０】
Ｔ≦Ｔｄの場合、Ａｔｔ＝１００％である。また、Ｔｃ≧Ｔ＞Ｔｄの場合、Ａｔｔは以下の式（２）を満たす。また、Ｔ＞Ｔｃの場合、Ａｔｔ＝０％である。
Ａｔｔ＝１００×（１−（Ｔ−Ｔａ）／（Ｔｃ−Ｔａ）（４−Ｄ／１００））・・・（２）
【００４１】
本実施形態によっても、実施例１と同様の効果を得ることができる。また、閾値を、輝度設定部１２１が認識した輝度によらず一定にしても、輝度設定部１２１が認識した輝度が大きくなるにつれてこの輝度に乗じる係数を小さくすることができる。
【００４２】
以上、図面を参照して実施形態及び実施例について述べたが、これらは本発明の例示であり、上記以外の様々な構成を採用することもできる。
【符号の説明】
【００４３】
１０ 発光装置
１００ 発光部
１２０ 制御部
１２１ 輝度設定部
１２２ 係数設定部
１２３ 輝度補正部
１２４ ドライバ制御部
１２５ ドライバ
１２６ 係数情報記憶部
１４０ 温度検出部
１６０ 輝度情報取得部
【図１】
2014143100.tif 000003
【図２】
2014143100.tif 000004
【図３】
2014143100.tif 000005
【図４】
2014143100.tif 000006
【図５】
2014143100.tif 000007
【図６】
2014143100.tif 000008
【図７】
2014143100.tif 000009